(57)【要約】【課題】下枠と障子の下框との間の空間を外気圧と等気圧にすることができ、とくに高風圧時においても屋内への雨水の浸入を防止できる。【解決手段】枠体１の下枠１２は、内障子２Ｂを案内する内側レール１２４を有する上段部１２１と、外障子２Ａを案内する外側レール１２３を有する下段部１２２と、を備え、上段部１２１には、上段部１２１の上方で内障子２Ｂの下框との間において等圧空間Ｒが形成され、かつ内側レール１２４の屋内側から屋外側に貫通するとともに、上下方向に貫通する複数の水抜き孔１４が形成され、水抜き孔１４には、水抜き孔１４の開口を覆う排水キャップ３が設けられた構成の建具を提供する。【選択図】図３
2020122372.tif 000002
【特許請求の範囲】
【請求項１】
枠体の内部において少なくとも２枚の障子が突き合せられた建具であって、
前記枠体の下枠は、内障子を案内する内側レールを有する上段部と、外障子を案内する外側レールを有する下段部と、を備え、
前記上段部には、該上段部の上方で前記内障子の下框との間において等圧空間が形成され、かつ前記内側レールの屋内側から屋外側に貫通するとともに、上下方向に貫通する複数の空気取込み孔が形成され、
前記空気取込み孔には、当該空気取込み孔の開口を覆うキャップが設けられていることを特徴とする建具。
【請求項２】
前記内障子の前記下框には、前記上段部の上方において前記内側レールに対して接触または近接して配置される水切材が設けられている請求項１に記載の建具。
【請求項３】
前記水切材は、前記下枠の長手方向の一部が切断された水切開口部が形成されている請求項２に記載の建具。
【請求項４】
前記水切開口部は、前記下枠の長手方向の中間部に設けられている請求項３に記載の建具。
【請求項５】
前記空気取込み孔は、閉じた状態の前記内障子の左右方向の両側に設けられている請求項１乃至４のいずれか１項に記載の建具。
【発明の詳細な説明】
【技術分野】
【０００１】
本発明は、建具に関するものである。
【背景技術】
【０００２】
従来、引き違い窓等の建具では、例えば特許文献１に示されるような、下枠のレール（下枠レール）の屋内側において下枠と障子の下框との間に形成される空間を外気圧と等気圧にすることにより屋外の雨水が屋内に入らないように水密性をもたせた等圧構造とすることが行われている。
このような建具では、障子の屋外側に下枠レールに対して接触または近接する水切材が設けられ、下枠に当たって跳ね返った雨水が下枠レールの屋内側の前記空間に浸入することを防止している。
【先行技術文献】
【特許文献】
【０００３】
【特許文献１】特開２０１３−０６７９７９号公報
【発明の概要】
【発明が解決しようとする課題】
【０００４】
２枚建ての引き違い窓の場合には、内障子の縦框に縦枠との間に形成されて上下方向に延びる縦空間（気密空間）が形成されている。そして、縦框の外側に形成される外気取り込み口から気密空間に外気が送り込まれ、さらにその外気が気密空間に連通する下框の等圧空間に流入される。これにより、この等圧空間の圧力を外気圧と等気圧にすることができる。
【０００５】
一方、４枚建ての引き違い窓の場合には、枠体内において外障子同士の間に配置される２枚の内障子の縦框（突合せ框、召合せ框）が縦枠に隣接していないので、２枚建てのように縦框の気密空間に外気を導入することができない。そのため、４枚建ての場合には、下框の等圧空間に送り込まれる外気量が不十分となることから、等圧空間を等気圧で維持することが難しい。すなわち、等圧空間の圧力が外気圧よりも低くなって、雨水が屋内側に浸入する場合があることから、その点で改善の余地があった。
【０００６】
そこで、本発明は、上記事情に鑑みてなされたものであり、下枠と障子の下框との間の空間を外気圧と等気圧にすることができ、とくに高風圧時においても屋内への雨水の浸入を防止できる建具を提供する。
【課題を解決するための手段】
【０００７】
上記目的を達成するために、本発明は以下の手段を採用している。
すなわち、本発明に係る建具は、枠体の内部において少なくとも２枚の障子が突き合せられた建具であって、前記枠体の下枠は、内障子を案内する内側レールを有する上段部と、外障子を案内する外側レールを有する下段部と、を備え、前記上段部には、該上段部の上方で前記内障子の下框との間において等圧空間が形成され、かつ前記内側レールの屋内側から屋外側に貫通するとともに、上下方向に貫通する複数の空気取込み孔が形成され、前記空気取込み孔には、当該空気取込み孔の開口を覆うキャップが設けられていることを特徴としている。
【０００８】
本発明に係る建具によれば、下枠の上段部に複数の空気取込み孔を設けているので、下枠と内障子の下框との間に形成される等圧空間に外気を送り込むための開口面積と空気ルートを十分に確保でき、空気取込み孔に外気を通過させてより多くの外気を等圧空間に送り込むことができる。
このように、内障子を閉じた状態で枠体の縦枠に対して隣接しない４枚建ての建具の内障子においては、複数の空気取込み孔を設けることで、多少の雨水が空気取込み孔を介して上段部の上方に浸入することがあっても、その空気取込み孔により排水が可能であり、等圧構造を維持することができる。そのため、屋内への空気の吸い込みを防ぐことができ、その空気の吸い込みとともに屋内に雨水が浸入することを防止できる。
また、空気取込み孔にキャップが設けられているので、上段部の上方へ排水部の雨水が跳ね上がることを抑制でき、水密性を確保することができる。
【０００９】
また、本発明に係る建具では、前記内障子の前記下框には、前記上段部の上方において前記内側レールに対して接触または近接して配置される水切材が設けられていることが好ましい。
【００１０】
このような構成によれば、水切材によって上段部で跳ね上がった雨水の等圧空間側への浸入を抑えることができる。
【００１１】
また、本発明に係る建具では、前記水切材は、前記下枠の長手方向の一部が切断された水切開口部が形成されている構成としてもよい。
【００１２】
この場合には、水切材の一部に水切開口部が設けられているので、その水切開口部を通じてさらに外気が等圧空間に取り込まれやすくなる。
【００１３】
また、本発明に係る建具では、前記水切開口部は、前記下枠の長手方向の中間部に設けられていることが好ましい。
【００１４】
この場合には、長手方向の中間部に水切開口部を設けることで、等圧空間に送り込む外気量を増やすことができる。
また、この場合には、隙間が発生しやすい下框の端部には水切材が配置されるため、その下框の端部において水切材で雨水の浸入をより確実に防止することができる。
【００１５】
また、本発明に係る建具では、前記空気取込み孔は、閉じた状態の前記内障子の左右方向の両側に設けられていることを特徴としてもよい。
【００１６】
この場合には、空気取込み孔が下枠における閉じた状態の内障子の左右方向の両側の位置に配置されているので、上段部に溜まる雨水を効率よく下方に排水することができ、かつ空気取込み孔から等圧空間に流入する外気が上段部上の雨水を巻き込んで等圧空間内に浸入させることを抑制することができる。
【発明の効果】
【００１７】
本発明に係る建具によれば、下枠と障子の下框との間の等圧空間を外気圧と等気圧にすることができ、とくに高風圧時においても屋内への雨水の浸入を防止できる。
【図面の簡単な説明】
【００１８】
【図１】本発明の一実施形態による引き違い窓を屋内側から見た正面図である。
【図２】図１の引き違い窓における外障子と内障子の横断面図である。
【図３】下枠に設けられる水抜き孔と排水キャップの配置状態を示す横断面図である。
【図４】図３の下枠と内障子の下框の構成を示す要部縦断面図である。
【図５】図４に示す下枠に排水キャップを設けた状態を示す要部拡大図である。
【図６】下枠の水抜き孔を上方から見た平面図である。
【図７】排水キャップを長手方向から見た側面図である。
【図８】排水キャップを屋外側から見た側面図である。
【図９】排水キャップを屋内側の斜め下方から見た斜視図である。
【発明を実施するための形態】
【００１９】
以下、本発明の一実施形態による建具について、図面に基づいて説明する。
【００２０】
図１に示すように、本実施形態による引き違い窓１００（建具）は、建築物の開口部に設けられ、四角形枠状に形成された枠体１と、枠体１に対して左右方向にスライド可能に設けられた４枚の障子２（２Ａ、２Ｂ）と、を備えた４枚建ての引き違い窓を構成している。ここで、屋外側に位置する障子を外障子２Ａといい、屋内側に位置する障子を内障子２Ｂという。本実施形態では、２枚の外障子２Ａ、２Ａの間で互いに突合せられる２枚の内障子２Ｂ、２Ｂが配置されている。
【００２１】
以下の説明において、屋外側と屋内側とを結ぶ方向（壁部に直交する方向、図１では紙面に直交する方向）を屋内外方向とし、建築物の開口部が壁部を貫通する方向（壁部に対向する方向）から見た際の左側と右側を結ぶ水平方向を左右方向とする。また、引き違い窓１００を構成する各部材や部品などは、前記開口部に設けられている姿勢であるものとして、その姿勢における屋内外方向および左右方向を用いて説明する。
【００２２】
枠体１は、左右方向に延在する上枠１１及び下枠１２と、上枠１１の両端部と下枠１２の両端部とをそれぞれ連結し上下方向に延在する一対の縦枠１３と、を有している。以下の説明では、上枠１１、下枠１２及び一対の縦枠１３等の長尺の部材に対してそれぞれが延びる方向を長さ方向ということがある。
本実施形態では、引き違い窓１００はアルミ樹脂複合サッシを対象としている。枠体１は、金属製の縦枠１３に対して金属製の上枠１１及び下枠１２の端部を突き当ててビス等の固定具で固定されている。枠体１は、アルミニウム製の押出成形部材で構成されている。
【００２３】
一対の障子２Ａ、２Ｂは、枠体１の屋外側及び屋内側にそれぞれ設けられている。外障子２Ａ及び内障子２Ｂは、それぞれ閉じた状態で、枠体１内を閉塞するように配置されている。各障子２は、四方枠状に形成された框体内に納められた複層ガラス２０と、を有している。
【００２４】
内障子２Ｂは、左右方向に延在する上框２１及び下框２２と、上框２１の両端部と下框２２の両端部とをそれぞれ連結し上下方向に延在する召合せ框２３及び突合せ框２４と、を有している。外障子２Ａは、左右方向に延在する上框２１及び下框２２と、上框２１の両端部と下框２２の両端部とをそれぞれ連結し上下方向に延在する召合せ框２５及び戸先框２６と、を有している。
【００２５】
本実施形態では、框体は、アルミニウム製の押出成形部材で構成されており、屋内側面が樹脂で覆われている。上框２１、下框２２は、召合せ框２３及び突合せ框２４（あるいは、外障子２Ａの場合には、召合せ框２５及び戸先框２６）に両端部が突き当てられて枠組みされており、ビス等の固定具で固定されている。下框２２には、下枠１２に沿って左右方向に走行可能な戸車（図示省略）が設けられている。
【００２６】
上枠１１は、左右方向に沿って延在し屋内外方向に間隔をあけて設けられる一対のレール案内壁を有している。屋外側の外レール案内壁と屋外側の内レール案内壁の下部分には、それぞれ外障子２Ａと内障子２Ｂの上端が左右方向にスライド自在に案内されるようになっている。
【００２７】
下枠１２は、左右方向に延びる下枠壁部と、下枠壁部から上方に延びるととともに左右方向に沿って延在し屋内外方向に間隔をあけて設けられる一対のレール案内壁と、を有している。屋外側の外レール案内壁と屋外側の内レール案内壁の上部分には、それぞれ外障子２Ａと内障子２Ｂの下端に設けられる戸車２７（図４参照）が左右方向に走行自在に案内されるようになっている。
【００２８】
図２及び図３に示すように、外障子２Ａ及び内障子２Ｂに設けられる複層ガラス２０は、屋外側に配置される外ガラスと屋内側に配置される内ガラスとがスペーサを介して一体に設けられている。
各框２１〜２６には、それぞれ複層ガラス２０の端部を保持するガラス保持部が形成されている。複層ガラス２０の四辺の端部は、ガラス保持部内に嵌め込まれている。複層ガラス２０の周縁部において、屋内側の面は、框に係止された押縁によって押さえられている。
【００２９】
下枠１２は、図４に示すように、長手方向に延在するとともに上下に対向する上段部１２１および下段部１２２と、下段部１２２から上方に向けて突出し外障子２Ａの下端（戸車２７）がスライド可能に係合する外側レール１２３と、上段部１２１から上方に向けて突出し内障子２Ｂの下端（戸車２７）がスライド可能に係合する内側レール１２４と、を備えている。上段部１２１と下段部１２２とは、それぞれの屋内側で一対の縦連結部１２５、１２６によって連結されている。縦連結部１２５、１２６は、長手方向に延在し、外側の縦連結部１２５と内側の縦連結部１２６とが互いに間隔をあけて対向して配置されている。上段部１２１の内端には、上方に向かって突出する側壁部１２７が設けられている。外側レール１２３の上端１２３ａは、上段部１２１よりも低い位置になっている。
【００３０】
上段部１２１には、図５に示すように、内側レール１２４と外側レール１２３との間で上下方向に貫通する第１水抜き孔１４Ａ（空気取込み孔）が形成されている。第１水抜き孔１４Ａは、内障子２Ｂを閉じた状態で下枠１２の長手方向に沿った２箇所に設けられている。また、内側レール１２４には、屋内外方向に貫通する第２水抜き孔１４Ｂ（空気取込み孔）が長手方向で第１水抜き孔１４Ａと同じ位置に形成されている。
これら水抜き孔１４Ａ、１４Ｂを通じて、上段部１２１における内側レール１２３の屋内側の雨水Ｗが下段部１２２の上面に導水される。
【００３１】
下段部１２２には、外側レール１２３と外側の縦連結部１２５との間に凹溝部１２８が形成されている。上記水抜き孔１４Ａ、１４Ｂを通じて凹溝部１２８内に導水した雨水Ｗは、外側レール１２３に対して屋内外に貫通する排水孔１９から外部に排出される。ここで、凹溝部１２８に溜まる雨水Ｗは、基本的には排水孔１９から排出されるが、凹溝部１２８内で増大した雨水Ｗは外側レール１２３を越えて屋外側に流出する。
【００３２】
第１水抜き孔１４Ａは、図６に示すように、上方から見た平面視で左右方向に長い長方形状に形成され、下枠１２の長手方向に所定の間隔をあけて複数形成されている。第１水抜き孔１４Ａには、当該第１水抜き孔１４Ａの開口を覆う排水キャップ３（キャップ）が設けられている。
【００３３】
また、下枠１２には、火災時に加熱されるとともに膨張し、下枠１２の水抜き孔１４Ａ、１４Ｂ、排水孔１９を閉塞させ、この排水孔１９に起因して火炎や煙、熱の貫通（流通、伝播）を防止するための熱膨張耐火材（図示省略）が設けられている。なお、この熱膨張耐火材が設けられていない構造であってもかまわない。
【００３４】
上段部１２１の外端部には、図４に示すように、外障子２Ａの下框２２の内側面に向けて突出する第１気密材１５Ａが設けられている。また、屋内側の側壁部１２７の上端外面には、内障子２Ｂの下框２２の屋内側の側面２２ａに向けて突出する第２気密材１５Ｂが設けられている。これら気密材１５Ａ、１５Ｂは、それぞれ下框２２の長手方向に沿って延在している。
【００３５】
また、下框２２の外框壁２２１には、上段部１２１の上方において内側レール１２４に対して接触または近接した状態で水切材１６が設けられている。水切材１６の突出端１６ａは、図４に示すように、内側レール１２４の外面１２４ａに対して例えば０．５ｍｍ程度をあけて離間している。
【００３６】
排水キャップ３は、第１水抜き孔１４Ａに係合された状態で配置されている。排水キャップ３は、図７〜図９に示すように、有頂筒状のキャップ本体３０と、キャップ本体３０から下方に突出して第１水抜き孔１４Ａに係合する被係合部３１と、を有し、第１水抜き孔１４Ａの長手方向に沿う縦長に形成されている。
【００３７】
キャップ本体３０は、上壁３０１と、一対の側壁３０２と、からなる。上壁３０１は、短辺方向で一方から他方に向けて斜め上方となるように傾斜し、一方側が略鉛直方向に垂下する背面３０１ａを形成している。キャップ本体３０における上壁３０１の他方側は開口し、図５に示すように、開口面３０ａを屋内側に向けて内側レール１２４の外面１２４ａに接するとともに、内側レール１２４に形成される第２水抜き孔１４Ｂを収容するように配置される。
【００３８】
被係合部３１は、キャップ本体３０内側から下方に向けて延びる平面でコ字状に形成され、第１水抜き孔１４Ａに係合されている。被係合部３１の下端３１ａは、図５に示すように、排水キャップ３が第１水抜き孔１４Ａに係合した状態で、排水キャップ３の外側レール１２３の上端１２３ａよりも上方に位置している。
【００３９】
次に、各框２１〜２４について説明するが、外障子２Ａと内障子２Ｂは基本的に同様な構造であるので、内障子２Ｂについて詳細に説明する。
【００４０】
図１に示す内障子２Ｂの上框２１の上部には、上述した外レール案内壁に係止するとともに上向きに開口するレール溝が形成されている。
【００４１】
内障子２Ｂの下框２２は、図４に示すように、左右方向に沿って延びる外框壁２２１と内框壁２２２とが各面方向を鉛直方向に向けた状態で互いに間隔をあけて対向して配置されている。
外框壁２２１と内框壁２２２との間には、中空状に形成され、左右方向に延びる框ホロー部Ｓ２２が形成されている。框ホロー部Ｓ２２は、屋外側の外框壁２２１と屋内側の内框壁２２２とを連結する上連結壁２２３と下連結壁２２４とにより囲まれた空間を形成している。また、外框壁２２１、内框壁２２２、上連結壁２２３及び下連結壁２２４は、下框２２の左右方向の略全長に沿って形成されている。框ホロー部Ｓ２２において、上連結壁２２３の下面に戸車２７が回転可能に支持されている。
框ホロー部Ｓ２２における外框壁２２１と内框壁２２２とを連結する上連結壁２２３の屋外側には、上連結壁２２３上に溜まった雨水を下枠１２側に排水するための水抜き穴が形成されている。
【００４２】
図１に示すように、内障子２Ｂの召合せ框２３は、外障子２Ａ及び内障子２Ｂが閉じている状態で、外障子２Ａの召合せ框２５に屋内外方向に重なっている。
突合せ框２４は、外障子２Ａ及び内障子２Ｂを閉じている状態で、隣り合う内障子２Ｂの突合せ框２４に突き合わせられる。召合せ框２３及び突合せ框２４は、それぞれ上框２１及び下框２２の端面が突き合てられてビス止めされている。
【００４３】
次に、本実施形態による引き違い窓１００の作用について、図面に基づいて詳細に説明する。
図３〜図５に示すように、本実施形態による引き違い窓１００では、下枠１２の上段部１２１に複数の水抜き孔１４Ａ、１４Ｂを設けているので、下枠１２と内障子２Ｂの下框２２との間に形成される等圧空間Ｒに外気を送り込むための開口面積と空気ルートを十分に確保でき、外気を第１水抜き孔１４Ａに設けられた排水キャップ３内の通路を通過させて、第２水抜き孔１４Ｂを介してより多くの外気を等圧空間Ｒに送り込むことができる。図５の符号Ｅは、このときの外気の流れを示している。
【００４４】
このように、内障子２Ｂを閉じた状態で枠体１の縦枠１３に対して隣接しない４枚建ての引き違い窓１００の内障子２Ｂにおいては、複数の水抜き孔１４Ａ、１４Ｂを設けることで、多少の雨水が水抜き孔１４を介して上段部１２１の上方に浸入することがあっても、その水抜き孔１４Ａ、１４Ｂにより排水が可能であり、等圧構造を維持することができる。そのため、屋内への空気の吸い込みを防ぐことができ、その空気の吸い込みとともに屋内に雨水が浸入することを防止できる。
また、水抜き孔１４に排水キャップ３が設けられているので、上段部１２１の上方へ排水部１２８の雨水Ｗが跳ね上がることを抑制でき、水密性を確保することができる。
【００４５】
また、本実施形態では、図４に示すように、内障子２Ｂの下框２２に上段部１２１の上方において内側レール１２４に対して接触または近接して配置される水切材１６が設けられているので、上段部１２１で跳ね上がった雨水が水切材１６により上方から押さえつけられ等圧空間Ｒ側への浸入を抑えることができる。
【００４６】
また、本実施形態では、図３に示すように、水切材１６の一部に水切開口部１６Ａが設けられているので、その水切開口部１６Ａを通じてさらに外気が等圧空間Ｒに取り込まれやすくなる。
【００４７】
さらに、本実施形態では、排水効率が高い下枠１２の長手方向の端部側に排水機能をもたせた水抜き孔１４を配置でき、長手方向の中間部に水切開口部１６Ａを設けることで、等圧空間Ｒに送り込む外気量を増やすことができる。
また、この場合には、隙間が発生しやすい下框２２の端部には水切材１６が配置されるため、その下框２２の端部において水切材１６で雨水の浸入をより確実に防止することができる。
【００４８】
さらにまた、水抜き孔１４が下枠１２における閉じた状態の内障子２Ｂの左右方向の両側の位置に配置されているので、上段部１２１に溜まる雨水を効率よく下段部１２２側に排水することができ、かつ水抜き孔１４から等圧空間Ｒに流入する外気が上段部１２１上の雨水を巻き込んで等圧空間Ｒ内に浸入させることを抑制することができる。
【００４９】
このように本実施の形態では、下枠１２と内障子２Ｂの下框２２との間の等圧空間Ｒを外気圧と等気圧にすることができ、とくに高風圧時においても屋内への雨水の浸入を防止できる。
【００５０】
以上、本発明による建具の実施形態について説明したが、本発明は上記の実施形態に限定されるものではなく、その趣旨を逸脱しない範囲で適宜変更可能である。
【００５１】
例えば、本実施形態では、内障子２Ｂの下框２２の、上段部１２１の上方において内側レール１２４に対して接触または近接した状態で配置される水切材１６を設けた構成としているが、この水切材１６を省略することも可能である。
さらに、水抜き孔１４に係合される排水キャップ３を省略することも可能である。
【００５２】
また、本実施形態では、水切材１６において下枠１２の長手方向の一部を切断して形成される水切開口部１６Ａを設けた構成としているが、このような水切開口部１６Ａが形成されない構成であってもよい。
さらに、水切開口部１６Ａの位置に関しても、必ずしも上記実施形態のように第１水抜き孔１４Ａ（空気取込み孔）に対して上方から重ならない位置に配置されることに限定されることはない。つまり、空気取込み孔と水切開口部とが上下方向に重なっていてもよい。要は、水切材の少なくとも一部が切断されて水切開口部が形成されていればよいのである。
さらにまた、水切材の突出長を変えることで水切開口部を形成するようにしてもよい。具体的には、水切開口部を形成する部分の水切材の第２突出長を通常部分の水切材の第１突出長よりも短くすることで、第１突出長の水切材同士の間に水切開口部が形成されることになる。
【００５３】
また、下枠１２における水抜き孔１４の位置は、上述した実施形態のように１枚の内障子２Ｂに対して２箇所であることに限定されることはなく、適宜設定することが可能である。
【００５４】
その他、本発明の趣旨を逸脱しない範囲で、上記した実施形態における構成要素を周知の構成要素に置き換えることは適宜可能である。
【符号の説明】
【００５５】
１００  引き違い窓（建具）
１  枠体
２  障子
２Ａ  外障子
２Ｂ  内障子
３  排水キャップ（キャップ）
１１  上枠
１２  下枠
１３  縦枠
１４Ａ、１４Ｂ  水抜き孔（空気取込み孔）
１６  水切材
１６Ａ  水切開口部
１９  排水孔
２１  上框
２２  下框
２３、２５  召合せ框
２４  突合せ框
２６  戸先框
１２１  上段部
１２２  下段部
１２３  外側レール
１２４  内側レール
１２８  凹溝部
Ｒ  等圧空間
【図１】
2020122372.tif 000003
【図２】
2020122372.tif 000004
【図３】
2020122372.tif 000005
【図４】
2020122372.tif 000006
【図５】
2020122372.tif 000007
【図６】
2020122372.tif 000008
【図７】
2020122372.tif 000009
【図８】
2020122372.tif 000010
【図９】
2020122372.tif 000011